(57)【要約】【課題】病院内において、医療行為の指示として発行されるオーダの内容が、後に発生する事象、例えば検査により得られる測定値や症状等に依存し、医師がオーダを発行する時点では指示内容を確定することが不可能な場合があった。かかる場合において、看護師が、診療結果に基づき再び医師の指示を仰ぐか、医師が、再度オーダを発行しなおす必要があった。そこで、本発明は、看護師が、後に発生した事象により、再度の医師の作業を要することなく、医療行為を実施するためのものである。【解決手段】本発明は、医師が発生事象と医療行為の指示を対応付けた擬似オーダを発行、登録し、看護師が後に発生事象を入力すると、擬似オーダとして登録された医療行為の内容が正式なオーダとして発行され、表示されるものである。【選択図】                  図１
2005049962.tif 000002
【特許請求の範囲】
【請求項１】
コンピュータが、患者に対して施すべき医療行為の指示であるオーダを発行する方法において、
前記患者に対する診療行為の記録に関する情報の入力をカルテデータとして受け付ける入力受付ステップと、
前記オーダと該オーダを発行する条件である該当事象とを対応付けて記憶した擬似オーダＤＢを参照して、前記カルテデータの内容が、前記該当事象に適合するか否かを判定する判定ステップと、
前記判定ステップにおいて適合すると判定した場合には、前記該当事象に対応付けられている前記オーダを送信するオーダ発行ステップと
を有することを特徴とするオーダ発行方法。
【請求項２】
前記オーダは、前記患者に対して処方すべき投薬名と、１回に服用すべき投薬の量である１回量とを含み、
該１回量として所定のデータが設定されているか、若しくはデータの設定がされていない場合には、前記投薬名及び前記患者に関する属性情報と前記１回量とを対応付けて記憶する擬似オーダ支援マスタを参照し、前記オーダに含まれる投薬名と前記患者に関する属性情報とに基づいて、前記１回量を取り出すステップ
をさらに有することを特徴とする請求項１記載のオーダ発行方法。
【請求項３】
コンピュータを動作させるためのプログラムであって、コンピュータに
患者に対する診療行為の記録に関する情報の入力をカルテデータとして受け付ける入力受付手段と、
患者に対して施すべき医療行為の指示であるオーダと該オーダを発行する条件である該当事象とを対応付けて記憶した擬似オーダＤＢと、
前記擬似オーダＤＢを参照して、前記カルテデータの内容が、前記該当事象に適合するか否かを判定する判定手段と、
前記判定手段において適合すると判定した場合には、前記該当事象に対応付けられている前記オーダを送信するオーダ発行手段と
を機能させるためのオーダ発行プログラム。
【請求項４】
前記オーダは、前記患者に対して処方すべき投薬名と、１回に服用すべき投薬の量である１回量とを含み、
前記投薬名及び前記患者に関する属性情報と前記１回量とを対応付けて記憶する擬似オーダ支援マスタと、
該１回量として所定のデータが設定されているか、若しくはデータの設定がされていない場合には、前記擬似オーダ支援マスタを参照し、前記オーダに含まれる投薬名と前記患者に関する属性情報とに基づいて、前記１回量を取り出す手段と
をさらに有することを特徴とする請求項３記載のオーダ発行プログラム。
【請求項５】
患者に対して施すべき医療行為の指示であるオーダを発行する装置において、
前記患者に対する診療行為の記録に関する情報の入力をカルテデータとして受け付ける入力受付手段と、
前記オーダと該オーダを発行する条件である該当事象とを対応付けて記憶した擬似オーダＤＢと、
前記擬似オーダＤＢを参照して、前記カルテデータの内容が、前記該当事象に適合するか否かを判定する判定手段と、
前記判定手段において適合すると判定した場合には、前記該当事象に対応付けられている前記オーダを送信するオーダ発行手段と
を有することを特徴とするオーダ発行装置。
【発明の詳細な説明】
【０００１】
【発明の属する技術分野】
本発明は、病院において医師が看護師等に対して行う患者に対する医療行為の指示であるオーダを発行する方法、プログラム及び装置に関する。
【０００２】
【従来の技術】
近年、医療機関における情報処理システムの高度化が進んでおり、その１つとして、従来は紙の媒体により保存、管理をしていたカルテを、電子情報化してデータベースに記録、管理する電子カルテシステムが導入されるようになっている。また、従来、医師による薬剤の処方や検査部門に対する検査等の医療処置の依頼は、口頭で行われるか、あるいは電子カルテシステムの電子カルテにそれらの内容を入力し、看護師はその口頭による指示を受けて、若しくは電子カルテを参照して、指示内容を実施していた。そこで、このような各種の指示、依頼の発行も電子的に行うオーダリングシステムも、電子カルテシステムに加えて導入されるようになっている。
【０００３】
例えば、特許文献１には、診察結果、所見及び処方オーダ等を有する入力部と、入力された各種データを記憶する記憶部と、記憶された各種データをカルテ情報として表示する表示部から構成される電子カルテシステムが記載されている。
【０００４】
【特許文献１】
特開平５−２０３３８号公報
【０００５】
【発明が解決しようとする課題】
前記の電子カルテシステム及びオーダリングシステムが導入されているか環境においても、処方等の内容が、後に発生する事象、例えば検査により得られる測定値や症状等に依存し、医師がオーダを発行する時点では指示内容を確定することが不可能な場合があった。かかる場合において、看護師が、検査結果等により再び医師の指示を仰ぐか、医師が、再度オーダを発行しなおす必要があった。
そこで、本発明は、上記の問題を解決すべく、看護師が、後に発生した事象により、再度の医師の作業を要することなく、処方等の処置を実施するためのものである。
【０００６】
【課題を解決するための手段】
本発明は、医師が発生事象と処方等の患者に対して施すべき医療行為の指示の内容を対応付けた擬似オーダを発行、登録し、看護師が後に発生事象を入力すると、擬似オーダとして登録された処方等内容が、正式なオーダとして発行され、表示されるものである。この発生事象とは、患者に対する各種の検査結果、観察結果、患者の症状等を含む、すべての診療行為の記録を指すものである。そして、この診療行為の記録は、カルテデータとして電子カルテシステムに入力され、記憶されるものである。
【０００７】
本発明にかかるオーダ発行方法は、具体的には、患者に対する診療行為の記録をに関する情報の入力をカルテデータとして受け付ける入力受付ステップと、患者に対して施すべき医療行為の指示であるオーダと該オーダを発行する条件である該当事象とを対応付けて記憶した擬似オーダＤＢを参照して、前記カルテデータの内容が、前記該当事象に適合するか否かを判定する判定ステップと、前記判定ステップにおいて適合すると判定した場合には、前記該当事象に対応付けられている前記オーダを表示するオーダ発行ステップとを有することを特徴とする。
【０００８】
以上のステップを備えることにより、看護師は、患者に関して後に発生した事象を入力することにより、再度の医師の指示を仰ぐことなく、適切な医療行為を患者に施すことが可能となる。
【０００９】
【発明の実施の形態】
本発明の実施の形態について図面により説明する。図１に示すように、本実施形態は、電子カルテサーバ１０と医事会計サーバ１１と複数のクライアント端末１２とが、ネットワーク１３を介して接続される形態を構成する。
【００１０】
サーバ１０には、電子カルテシステム１４とオーダリングシステム１５が構成され、それらのシステムが参照するカルテ情報ＤＢ１６、擬似オーダＤＢ１７、擬似オーダ支援マスタ１８を備える。
【００１１】
電子カルテシステム１４は、医師が診療内容等を入力し、カルテデータとして管理するものである。
【００１２】
オーダリングシステム１５は、医師による薬剤の処方や検査部門に対する検査等の医療処置の依頼であるオーダを発行するものであり、本発明にかかる擬似オーダ入力登録プログラム１５１、正式オーダ発行プログラム１５２とを含む。
【００１３】
擬似オーダ入力登録プログラム１５１は、医師が、後にある事象が発生したことを条件に行うべき処方等の医療行為の指示を、擬似オーダとして入力、登録するための処理を記述したプログラムである。
【００１４】
正式オーダ発行プログラム１５２は、看護師等が患者の検査結果等を入力し、それが、オーダ発行の条件として予め設定した事象に適合した場合に、オーダを発行するための処理を記述したプログラムである。
【００１５】
これらのプログラムの詳細な処理内容については後述する。
【００１６】
カルテ情報ＤＢ１６は、患者ごとの属性と検査結果等の診療内容を記憶したデータベースである。図２のその詳細を示す。患者情報２０は患者の氏名とその患者の属性を記憶したものであり、属性としては、年齢、性別、身長、体重及び病名を記憶している。擬似オーダ対象２１は、その患者に対して擬似オーダが発行されているか否かを示すものであり、発行されていれば「対象」、発行されていなければ「非対象」と設定されている。検査日付２２は実際に各種の検査を行い、検査結果に関するデータが入力された日付が設定されている。検査結果２３は各種の検査をおこなった結果が入力され記憶されている。本実施形態においては、血液検査の結果である「ＧＯＴ」、「ＧＰＴ」、「赤血球数」と一般的な検査に分類される「体温」、「血圧」の検査結果が入力され記憶されている。
【００１７】
擬似オーダＤＢ１７は、発行された擬似オーダの内容を記憶しているデータベースであり、その内容を図３に示す。指示日３０は当該擬似オーダを発行した日付を記憶している。発行者３１は、当該擬似オーダを発行した者の氏名が記憶されており、本実施形態では医師名が記憶されている。患者情報３２は当該擬似オーダの対象となる患者の氏名と属性に関する情報を記憶している、本実施形態においては、属性として性別、年齢、身長、体重、病名を記憶しており。これらの情報は擬似オーダの入力、作成時にカルテ情報ＤＢ１６の患者情報２０から取り出したものである。有効期間３３は、当該擬似オーダを適用する期間を開始と終了の日付により設定し、記憶したものである。該当事象３４は、オーダ発行の条件となる発生事象を、項目と数値で設定し、記憶したものである。例えば、氏名が「川崎太郎」である患者に対して発行された擬似オーダは、当該患者の検査結果として、「体温」が「４０」度を超えた場合に、正式なオーダとして発行されるものである。オーダ内容３５は、オーダ発行の条件となる事象が発生したときに、実際に発行される正式なオーダの内容を設定し、記憶したものである。例えば、氏名が「川崎太郎」である患者に対して発行された擬似オーダは、当該患者の検査結果として、「体温」が「４０」度を超えた場合に、投薬名「ＡＡＡ」を１回量「３」錠として、全部で「６」回分の処方を行うことが、オーダとして発行されるものである。
【００１８】
擬似オーダ支援マスタ１８は、処方される投薬の名称ごとに、１回に服用すべき量を記憶したデータベースであり、詳細を図４に示す。投薬名４０は、処方する投薬の名称を記憶したものである。１回量４１は、１回に服用すべき標準的な量を患者の年齢及び体重ごとに記憶したものである。擬似オーダ支援マスタ１８は、２通りに利用されるものである。その１つは、医師が擬似オーダを作成、発行するときに、オーダ内容３５に入力すべき１回量の参考にすべく参照するために用いる。もう１つは、オーダ内容３５の１回量に具体的な数値を設定せずに、単に「標準」と設定した場合において、正式なオーダ発行時に具体的な数値を得るために、正式オーダ発行プログラム１５２の処理の中で参照する場合がある。
【００１９】
医事会計サーバ１１には、医事会計システム１９が構成され、オーダリングシステムにより処方等のオーダが発行されると、その会計に関する情報を受信し、管理するものである。
【００２０】
なお、本実施形態では、図１に示すように、ハードであるサーバコンピュータとして、電子カルテサーバ１０と医事会計サーバ１１とを設け、電子カルテサーバ１０に電子カルテシステム１４とオーダリングシステム１５とを構成し、医事会計サーバ１１に医事会計システムを構成するようなシステム構成としているが、本発明の実施形態としてはこのような構成に限るものではない。例えば、各システムごとに別のサーバコンピュータを設けてネットワークを介して接続される構成としても良いし、すべてのシステムを１台のサーバコンピュータに構成しても良い。その差異は本発明の本質に影響するものではない。
【００２１】
クライアント端末１２は、医師、看護師等によって操作されるものであり、ネットワーク１３を介して各サーバに接続される。医師が入力した擬似オーダの内容や、看護師が入力した各種の検査結果等に関する情報を各サーバに送信したり、サーバが送信したオーダの内容を受信して表示したりするためのものである。
【００２２】
次に図５乃至図６に示すフローチャートにより、本発明の動作例を説明する。
【００２３】
本発明の処理は、医師等により、擬似オーダの内容が作成、入力され、それを擬似オーダＤＢ１７に登録する処理と、看護師等が入力した患者の各種検査結果等の結果が、オーダ発行の条件に該当した場合に、擬似オーダとして登録した処方等内容を正式なオーダに変換し発行する処理とに大別することができる。
【００２４】
図５は、擬似オーダ入力登録プログラム１５１が、医師等が作成する擬似オーダの入力を受け付け、擬似オーダＤＢ１７に登録する処理を説明するためのフローチャートである。
【００２５】
ステップＳ５１では、医師等が発行しようとしている擬似オーダの対象となる患者名の入力を受け付ける。この患者名に関するデータは医師等がクライアント端末１２から入力したものである。
【００２６】
ステップＳ５２では、ステップＳ５１で受け付けた患者の氏名に関する情報に基づいて、カルテ情報ＤＢ１６を参照し、当該患者の患者情報２０を読み出し、擬似オーダＤＢ１７に患者情報３２として登録する。例えば、ステップＳ５１において、患者の氏名として「川崎太郎」と受け付けた場合には、カルテ情報ＤＢ１６の患者情報２０の「氏名」の項目から「川崎太郎」を検索し、「年齢」が「３０」、「性別」が「男性」、「身長」が「１６５」ｃｍ、「体重」が「５５」Ｋｇ、「病名」が「偏頭痛」であることを読み出す。そして、それらの読み出した情報を擬似オーダＤＢ１７の患者情報３２として登録する。
【００２７】
ステップＳ５３では、当該擬似オーダの有効期間、及び正式なオーダとして発行する条件となる事象の入力を受け付けて、それぞれ擬似オーダＤＢ１７の有効期間３３と該当事象３４とに登録する。前記の氏名「川崎太郎」の患者に対して発行された擬似オーダでは、有効期間３３として２００３年２月１日から２００３年２月１４日までが設定され、該当事象３４としては、「項目」として「体温」、「数値」の条件としては「４０」度を超えた場合にオーダが発行されるものとして設定されている。
【００２８】
ステップＳ５４乃至ステップＳ５５の処理は、医師等がオーダ内容３５を入力するに際して、その作業を支援するためのものである。医師等が、処方しようとしている医薬品についての知識を詳細に有していれば、特に何も参照することなくオーダ内容３５として、一度に服用する量である「１回量」服用の「回数」等を入力することが可能である。しかし、医師等が詳細な知識を有していなければ、擬似オーダ支援マスタ１８を参照して、当該患者に適した「１回量」に関する情報を得て、オーダ内容３５として入力すればよい。ステップＳ５４では、擬似オーダ支援マスタ１８を参照するか否かを尋ねるメッセージを、医師等が操作するクライアント端末１２に送信し、それに対して医師等が、参照する旨の意思表示となる操作を行い、その情報がクライアント端末１２から返信されればステップＳ５５に進む。医師等が参照は不要である旨の意思表示となる操作を行い、その情報がクライアント端末１２から返信されればステップＳ５６に進む。
【００２９】
ステップＳ５５では、擬似オーダ支援マスタ１８の内容をクライアント端末１２に送信する。クライアント端末１２は、医師等に参照させるべく擬似オーダ支援マスタ１８の内容を表示する。
【００３０】
ステップＳ５６では、医師等がクライアント端末１２を介して入力した「投薬名」、「１回量」及び「回数」をオーダ内容３５として受け付け、登録する。前記の氏名「川崎太郎」の患者については、「投薬名」として「ＡＡＡ」、「１回量」として「３」錠、「回数」として「６」回と登録されている。ここで「１回量」の項目として、具体的な数量を入力することも可能であるし、氏名「上野春美」の患者の例にあるように所定の文字列データである「標準」と入力することも可能である。「標準」と入力した場合の後の処理については後述する。
【００３１】
なお、擬似オーダ入力登録プログラム１５１の処理としては最終的に擬似オーダのデータが擬似オーダＤＢ１７に完成することが目的であるので、ステップＳ５１乃至ステップＳ５２の処理、ステップＳ５３の処理、ステップＳ５４乃至ステップＳ５６の各処理の順番は相互に入れ替わることが可能である。本実施期待においては、その１例として図５に示す処理の順とした。
【００３２】
ステップＳ５７では、ステップＳ５６までで入力を受け付け、擬似オーダＤＢ１７に登録した擬似オーダの内容について登録を確定する。ここでこの擬似オーダを登録した日付である指示日３０と、擬似オーダを発行した医師等である発行者３１も併せて登録する。前記の氏名「川崎太郎」の患者については、指示日３０として「２００３年１月３１日」、発行者３１として「中原夏美」が登録されている。さらに、カルテ情報ＤＢ１６の当該患者の擬似オーダ対象２１の項目を「対象」と設定する。これは当該患者について擬似オーダが発行されていることを示すものであり、前記の氏名「川崎太郎」の患者については、これまでの処理で擬似オーダが発行されているので、擬似オーダ対象２１の項目に「対象」と設定されている。
【００３３】
以上の擬似オーダ入力登録プログラム１５１の処理の際に、クライアント端末１２に表示される入力画面の例を図７に示す。
【００３４】
図６は、正式オーダ発行プログラム１５２が、看護師等が入力する検査結果を受け付け、その内容がオーダ発行の条件となる事象に該当した場合に、正式なオーダを発行する処理を説明するためのフローチャートである。
【００３５】
ステップＳ６１では、看護師等がクライアント端末１２を介して入力、送信した患者の検査結果に関する情報を受け付ける。この検査結果はカルテ情報ＤＢ１６の検査結果２３に登録される。例えば、氏名「川崎太郎」の患者について、２００３年２月１日に行われた試験の結果として、「ＧＯＴ」が「２５」、「ＧＰＴ」が「２４」、「赤血球数」が「４５０」、「体温」が「３８．５」、「血圧」が「１１０」と登録されている。この検査結果２３は、同じ患者に対して検査が行われると追加して入力、登録される。氏名「川崎太郎」の患者については、２００３年２月４日にも検査が行われ、検査結果２３の入力が行われている。図８にクライアント端末１２で表示される検査結果の入力画面の例を示す。
【００３６】
ステップＳ６２では、検査結果２３が入力された患者について擬似オーダが発行されているか否かを判定し、発行されていればステップＳ６３に進み、発行されていなければ処理は終了する。即ち、検査結果２３が入力、登録されると当該患者についての擬似オーダ対象２１の項目を参照し、「対象」と設定されていれば擬似オーダが発行されていると判定し、「非対象」と設定されていれば擬似オーダは発行されていないと判定する。氏名「川崎太郎」の患者については、擬似オーダ対象２１は「対象」と設定されているので、擬似オーダが発行されていると判定する。
【００３７】
ステップＳ６３では、入力された検査結果２３が、オーダ発行の条件となる該当事象３４に適合するか否かを判定し、適合すればステップＳ６４に進み、適合しなければ処理は終了する。氏名「川崎太郎」の患者については、該当事象３４として、「体温」が「４０」度を超えた場合にオーダを発行するように設定されている。従って、２００３年２月１日の検査結果２３においては、「体温」は「３８．５」度であり、該当事象３４には適合しないため、処理が終了するが、２００３年２月４日の検査結果２３においては、「体温」が「４０．５」度であり、該当事象３４に適合するため、ステップＳ６４に進むことになる。
【００３８】
ステップＳ６４では、当該擬似オーダのオーダ内容３５の「１回量」を参照して、「標準」と設定されているか否かを判定し、設定されていればステップＳ６５に進み、設定されていなければステップＳ６６に進む。「標準」と設定されているのは、医師等が１回の服用量を具体的に指定はしないが、その医薬において患者に合った適切な量の服用を指定するものであり、かかる適切な量は擬似オーダ支援マスタ１８に設定されている。氏名「川崎太郎」の患者については、オーダ内容３５の「１回量」については具体的な数値で「３」錠と設定されているが、氏名「上野春美」の患者については「標準」と設定されている。
【００３９】
ステップＳ６５では、擬似オーダ支援マスタ１８を参照して、患者情報３２及びオーダ内容３５の「投薬名」に基づいて、当該患者に適した当該医薬の「１回量」を取り出す処理を行う。氏名「上野春美」の患者を例にとると、オーダとして処方される「投薬名」は「ＢＢＢ」であり、患者情報３２の「年齢」は「２７」歳であり、「体重」は「４７」Ｋｇであることから、擬似オーダ支援マスタ１８の投薬名４０が「ＢＢＢ」の１回量４１を参照し、「年齢」が「２１〜６０才」、「体重」が「〜５０ｋｇ」の欄から、適切な「１回量」は「６」錠であることを得る。
【００４０】
ステップＳ６６では、ステップＳ６５までで得られたオーダ内容３５を正式なオーダとして発行し、クライアント端末１２に送信する。氏名「川崎太郎」の患者に対しては、オーダ内容３５に設定されていた「投薬名」は「ＡＡＡ」、「１回量」は「３」錠、「回数」は「６」回という処方が正式なオーダとして発行される。図９に、クライアント端末１２に送信されたオーダの表示画面の例を示す。
【００４１】
ステップＳ６７では、発行されたオーダに伴った会計情報が医事会計システム１９に送信される。会計情報には、オーダとして発行された医薬品の代金等が含まれる。
【００４２】
本実施形態においては、オーダの例として、医薬の処方の場合で説明をしたが、オーダの内容はこれに限られるものではない。例えば、発行されるオーダとして、テキストの文章とすることも考えられる。即ち、ある事象が発生したら、専門医に連絡する、というようなオーダを発行したい場合には、その旨の文章をオーダ内容３５に設定しておけば良い。
【００４３】
なお、図示はしていないが、電子カルテサーバ１０、医事会計サーバ１１及びクライアント端末１２は、ＣＰＵ（Ｃｅｎｔｒａｌ  Ｐｒｏｃｅｓｓｉｎｇ  Ｕｎｉｔ）によって装置全体が制御されているコンピュータである。ＣＰＵには、バスを介してＲＡＭ（Ｒａｎｄｏｍ  Ａｃｃｅｓｓ  Ｍｅｍｏｒｙ）、ハードディスク装置（ＨＤＤ）、グラフィック処理部、入力インタフェース、および通信インタフェース等が接続されている。
【００４４】
ＲＡＭには、ＣＰＵに実行させるＯＳ（Ｏｐｅｒａｔｉｎｇ  Ｓｙｓｔｅｍ）のプログラムやその他のプログラムの少なくとも一部が一時的に格納される。また、ＲＡＭには、ＣＰＵによる処理に必要な各種データが格納される。ＨＤＤには、ＯＳやその他のプログラムおよびデータが格納される。
【００４５】
グラフィック処理部には、モニタ装置が接続されている。グラフィック処理部は、ＣＰＵからの命令に従って入力画面などをモニタ装置に表示させる。入力インタフェースには、キーボードやマウス等が接続されている。入力インタフェースは、キーボードやマウス等から送られてくる信号を、バスを介してＣＰＵに送信する。
【００４６】
通信インタフェースは、ネットワーク１３に接続されている。通信インタフェースは、ネットワーク１３を介して電子カルテサーバ１０、医事会計サーバ１１及びクライアント端末１２の間で、相互にデータの送受信を行なう。
【００４７】
本発明の実施の形態に係る擬似オーダ入力登録プログラム１５１、正式オーダ発行プログラムを上述のコンピュータで実行させることによって、コンピュータをオーダ発行装置として機能させることができる。
【００４８】
また、上記のコンピュータが有すべき機能の処理内容は、コンピュータで読み取り可能な記録媒体に記録されたプログラムに記述させておくことができる。このプログラムをコンピュータで実行することにより、上記処理がコンピュータで実現できる。コンピュータで読み取り可能な記録媒体としては、磁気記録装置や半導体メモリなどがある。市場に流通させる場合には、ＣＤ−ＲＯＭ（Ｃｏｍｐａｃｔ  Ｄｉｓｋ  Ｒｅａｄ  Ｏｎｌｙ  Ｍｅｍｏｒｙ）やフレキシブルディスクなどの可搬型記録媒体にプログラムを格納して流通させたり、ネットワークを介して接続されたコンピュータの記憶装置に格納しておき、ネットワークを通じて他のコンピュータに転送したりすることもできる。コンピュータで実行する際には、コンピュータ内のハードディスク装置などにプログラムを格納しておき、メインメモリにロードして実行する。
【００４９】
【発明の効果】
以上説明したように、本発明によれば、処方等の医療行為の内容が、後に発生する事象、例えば検査により得られる測定値や症状等に依存し、医師がオーダを発行する時点では指示内容を確定することが不可能な場合であっても、看護師が、後に発生した事象に従って、再度の医師の作業を要することなく、処方等の処置を実施することが可能となる。
【図面の簡単な説明】
【図１】本発明を実現するための構成図である。
【図２】カルテ情報ＤＢを図示したものである。
【図３】擬似オーダＤＢを図示したものである。
【図４】擬似オーダ支援マスタを図示したものである。
【図５】擬似オーダ入力登録プログラムの処理を説明するフローチャートである。
【図６】正式オーダ発行プログラムの処理を説明するフローチャートである。
【図７】擬似オーダ入力画面の例を図示したものである。
【図８】検査結果入力画面の例を図示したものである。
【図９】正式オーダ発行画面の例を図示したものである。
【符号の説明】
１０    電子カルテサーバ
１１    医事会計サーバ
１２    クライアント端末
１３    ネットワーク
１４    電子カルテシステム
１５    オーダリングシステム
１５１  擬似オーダ入力登録プログラム
１５２  正式オーダ発行プログラム
１６    カルテ情報ＤＢ
１７    擬似オーダＤＢ
１８    擬似オーダ支援マスタ
１９    医事会計システム
２０    患者情報
２１    擬似オーダ対象
２２    検査日付
２３    検査結果
３０    指示日
３１    発行者（医師名）
３２    患者情報
３３    有効期間
３４    該当事象
３５    オーダ内容
４０    投薬名
４１    １回量
【図１】
2005049962.tif 000003
【図２】
2005049962.tif 000004
【図３】
2005049962.tif 000005
【図４】
2005049962.tif 000006
【図５】
2005049962.tif 000007
【図６】
2005049962.tif 000008
【図７】
2005049962.tif 000009
【図８】
2005049962.tif 000010
【図９】
2005049962.tif 000011